(57)【要約】      （修正有）【課題】胸元部の開いた衣服に、容易に取り付けて、寒暖などに対応でき、嵩張らず、ファッション性に富んだスタイリングネックカバーを提供する。【解決手段】頭部を通すことが可能な構造の円柱状の襟部２と、該襟部に一体連結された肩山部３と該肩山部から胸元部までを覆う前身頃部４と該肩山部から背上部までを覆う後ろ身頃部を構成する肩胸背当部５と、からなるスタイリングネックカバー１を胸元の開いた衣服に取り付ける構造とし、容易に取り付けられ、寒暖などにも対応でき、嵩張らず、ファッション性に富んだものとした。【選択図】図１
0003189944.tif 000002
【実用新案登録請求の範囲】
【請求項１】
頭部を通すことが可能な構造の円柱状の襟部と、該襟部に一体連結された肩山部と該肩山部から胸元部までを覆う前身頃部と該肩山部から背上部までを覆う後ろ身頃部を構成する肩胸背当部と、からなるスタイリングネックカバーにおいて、該襟部と該肩胸背当部、及び該肩胸背当部が該前身頃部と後ろ身頃部を介して合わせ取り付け用衣服と、着脱自在に取り付けられる構造であることを特徴とするスタイリングネックカバー。
【請求項２】
前記襟部が、伸縮自在な材質、形状、デザインで構成されていて、円柱高さも自在に調整できる構造であることを特徴とする請求項１記載のスタイリングネックカバー。
【請求項３】
前記肩胸背当部が、寒暖自在な材質、形状、デザインからなる構造であることを特徴とする請求項１又は２記載のスタイリングネックカバー。
【考案の詳細な説明】
【技術分野】
【０００１】
本考案は胸元部の開いた衣服に、容易に取り付けて、寒暖などに対応でき、嵩張らず、ファッション性に富んだスタイリングネックカバーに関するものである。
【背景技術】
【０００２】
従来、おしゃれで胸元部の開いた衣服を着用する時は、襟のあるブラウスを下着として着用するか、マフラーなどを着用して胸元をカバーしていた。
【０００３】
この方法では、ブラウスは着用する衣服に合わせて数多く必要であり、さらに重ね着をするので体の動きも不自由となり、また、マフラーは胸元への取り付けが難しく使い辛らかった。
【０００４】
この問題を解決するために、両腕の袖の部分を後ろ身頃で連結したインナーウエアが提案（例えば、特許文献１参照）されているが、この提案では、胸元部はカバーできず、さらに外からは見えないものであり、ファッション性を表現できず、使い辛いままであった。
【先行技術文献】
【特許文献】
【０００５】
【特許文献１】特開２００７−２１７８４０号  公報
【考案の概要】
【考案が解決しようとする課題】
【０００６】
本考案は、上記した問題点に鑑みてなされたものであって、胸元部の開いた衣服に、容易に取り付けて、寒暖などに対応でき、嵩張らず、ファッション性に富んだスタイリングネックカバーの提供を目的とする。
【課題を解決するための手段】
【０００７】
上記目的を達成するために、本考案の胸元補飾衣は、頭部を通すことが可能な構造の円柱状の襟部と、該襟部に一体連結された肩山部と該肩山部から胸元部までを覆う前身頃部と該肩山部から背上部までを覆う後ろ身頃部を構成する肩胸背当部と、からなるスタイリングネックカバーにおいて、該肩胸背当部が該前身頃部と後ろ身頃部を介して合わせ取り付け用衣服と着脱自在に取り付けられる構造とした。
【考案の効果】
【０００８】
本考案に係るスタイリングネックカバーによれば、胸元の開いた衣服と重ね着する必要はなく、容易に頭部から被るだけでよく、胸元の開いた衣服の下にブラウスなどを着用しないで、ブラウス着用の効果があり、ブラウスを着用した場合と比べて、袖、ウエストなどの余分な布地がないので体の動きもよりスムーズとなる。
【０００９】
さらに、本考案のスタイリングネックカバーは、襟部及び肩胸背当部は布地、型、色、柄などに変化をつけたデザインが可能であるので、胸元の開いた衣服に合わせて様々なバリエーションの胸元補飾衣の所持も可能であり、贅沢感のあるおしゃれが容易に楽しむこともできる。
【００１０】
また、衣服を脱がずにスタイリングネックカバーを容易に取り外せる構造であるので、携帯しての使用や、スタイリングネックカバーのみの洗濯なども可能である。
【００１１】
さらに、本考案のスタイリングネックカバーは大きさも自在にできる構造であるので、大人も子供も使用できるし、特に胸元の老化が気になる年配の女性や余分な服は着たくないと思っている肥満気味の人には最適なスタイリングネックカバーである。
【図面の簡単な説明】
【００１２】
【図１】本考案のスタイリングネックカバーの一例を示す正面図。
【図２】本考案のスタイリングネックカバーを使用した一実施例を示す正面図。
【考案を実施するための形態】
【００１３】
以下本考案の実施するための最良の形態を具体的に示した実施の形態について、図面を参照しながら説明する。なお、この実施の形態にのみに本考案が限定されるものではない。
【実施例】
【００１４】
図１は、本考案のスタイリングネックカバーの一例を示し、図２は、本考案のスタイリングネックカバーを使用した一実施例を示す。
【００１５】
本考案のスタイリングネックカバー１は、図１に示すように、頭部を通すことが可能な構造の円柱状の襟部２と、該襟部２に一体連結された肩山部３と該肩山部３から胸元部までを覆う前身頃部４と該肩山部３から背上部までを覆う後ろ身頃部（図示せず）を形成する肩胸背当部５と、から構成される。
【００１６】
前記襟部２は、伸縮自在な材質を使用すれば円柱状の円面の大きさは自在に調整できるし、円柱状の高さも自在に調整できる構造であるので、襟部の長さを変えたおしゃれを楽しむことも可能である。
【００１７】
また、前記肩胸背当部５は、寒暖自在な材質を使用することや様々なデザインが使用できる構造であるので、使用材質による季節感や様々なデザインによるおしゃれ感を感じることも可能である。
【００１８】
なお、本考案のスタイリングネックカバー１は、図２に示すように、前記円柱状の襟部２を頭部から被り通し、前記肩胸背当部５の下部を前記胸元の開いた衣服６の上部から内に差し込んで使用する。
【産業上の利用可能性】
【００１９】
本考案のスタイリングネックカバーは、胸元部の開いた衣服のみならず、セーター、カーディガン、スーツ及びコートなどのその他のあらゆる衣服への適用も可能である。
【符号の説明】
【００２０】
１  スタイリングネックカバー
２  襟部
３  肩山部
４  前身頃部
５  肩胸背当部
６  胸元部の開いた衣服
【図１】
0003189944.tif 000003
【図２】
0003189944.tif 000004
【手続補正書】
【提出日】平成26年2月5日(2014.2.5)
【手続補正１】
【補正対象書類名】実用新案登録請求の範囲
【補正対象項目名】全文
【補正方法】変更
【補正の内容】
【実用新案登録請求の範囲】
【請求項１】
頭部を通すことが可能な構造の円柱状の襟部と、該襟部に一体連結された肩山部と該肩
山部から胸元部までを覆う前身頃部と該肩山部から背上部までを覆う後ろ身頃部を構成す
る肩胸背当部と、からなるスタイリングネックカバーにおいて、該襟部と該肩胸背当部、
及び該肩胸背当部が該前身頃部と後ろ身頃部を介して合わせ取り付け用衣服と、着脱自在
に取り付けられる構造であることを特徴とするスタイリングネックカバー。
【請求項２】
前記襟部が、伸縮自在な材質、形状、デザインで構成されていて、円柱高さも自在に調
整できる構造であることを特徴とする請求項１記載のスタイリングネックカバー。